(57)【要約】【課題】切り欠き溝により低下した管の強度を補強する間仕切装置を提供する。【解決手段】複数の管と、前記複数の管を連結する複数の連結部材と、前記複数の連結部材によって囲まれた領域に設けられるパネルと、を備え、前記複数の管の少なくとも１つに切り欠き溝が形成されているとともに、前記パネルが前記切り欠き溝に嵌め込まれる間仕切装置であって、前記切り欠き溝が形成された管の一方の端部に外挿嵌合される補強部材を備え、前記切り欠き溝が管の一方の端部から長手方向に伸びるように形成されているとともに、前記複数の連結部材の一部が前記複数の管の一方の端部及び他方の端部に内挿嵌合されることを特徴とする間仕切装置である。【選択図】図１
2014227764.tif 000002
【特許請求の範囲】
【請求項１】
複数の管と、前記複数の管を連結する複数の連結部材と、前記複数の連結部材によって囲まれた領域に設けられるパネルと、を備え、前記複数の管の少なくとも１つに切り欠き溝が形成されているとともに、前記パネルが前記切り欠き溝に嵌め込まれる間仕切装置であって、
前記切り欠き溝が形成された管の一方の端部に外挿嵌合される補強部材を備え、
前記切り欠き溝が管の一方の端部から長手方向に伸びるように形成されているとともに、前記複数の連結部材の一部が前記複数の管の一方の端部及び他方の端部に内挿嵌合される、
ことを特徴とする間仕切装置。
【請求項２】
前記内挿嵌合される連結部材の一部は、前記切り欠き溝が形成された管の形状に合わせた形状を有し、その外面が前記切り欠き溝が形成された管の一方の端部の内面に当接し、
前記補強部材は、前記切り欠き溝が形成された管の形状に合わせた形状を有し、その内面が前記切り欠き溝が形成された管の一方の端部の外面に当接する、
ことを特徴とする請求項１に記載の間仕切装置。
【発明の詳細な説明】
【技術分野】
【０００１】
本発明は、間仕切装置に関する。
【背景技術】
【０００２】
従来、管に形成された切り欠き溝にパネルを嵌め込み組み立てる家具用紙パネルが提案された（特許文献１参照）。この家具用紙パネルによれば、工具や接着剤を必要としないため、間仕切りとして使用されるパーティションを容易に組み立てたり移動させたりできるとされる。
【先行技術文献】
【特許文献】
【０００３】
【特許文献１】実用新案登録第３１０２６３４号公報
【発明の概要】
【発明が解決しようとする課題】
【０００４】
しかしながら、上記従来の家具用紙パネルには、切り欠き溝により管の強度が低下し、安定性に欠ける（例：ぐらつく、崩れる）という問題があった。
【０００５】
そこで、本発明は、切り欠き溝により低下した管の強度を補強する間仕切装置を提供することを目的とする。
【課題を解決するための手段】
【０００６】
本発明によれば、上記課題は、次の手段により解決される。すなわち、複数の管と、前記複数の管を連結する複数の連結部材と、前記複数の連結部材によって囲まれた領域に設けられるパネルと、を備え、前記複数の管の少なくとも１つに切り欠き溝が形成されているとともに、前記パネルが前記切り欠き溝に嵌め込まれる間仕切装置であって、前記切り欠き溝が形成された管の一方の端部に外挿嵌合される補強部材を備え、前記切り欠き溝が管の一方の端部から長手方向に伸びるように形成されているとともに、前記複数の連結部材の一部が前記複数の管の一方の端部及び他方の端部に内挿嵌合されることを特徴とする間仕切装置である。
【図面の簡単な説明】
【０００７】
【図１】本発明の実施形態に係る間仕切装置の模式的斜視図（組み立て前）である。
【図２】本発明の実施形態に係る間仕切装置の模式的斜視図（組み立て後）である。
【図３】図２中のＡ−Ａ断面における管と連結部材と補強部材との位置関係を示す概略図である。
【発明を実施するための形態】
【０００８】
以下に、添付した図面を参照しつつ、本発明を実施するための形態について説明する。
【０００９】
図１、２は、本発明の実施形態に係る間仕切装置の模式的斜視図である。図１は組み立て前の間仕切装置を示し、図２は組み立て後の間仕切装置を示す。また、図３は、図２中のＡ−Ａ断面における管と連結部材と補強部材との位置関係を示す概略図である。
【００１０】
図１、２、３に示すように、本発明の実施形態に係る間仕切装置１は、複数の管１０ａ、１０ｂ、１０ｃ、１０ｄと、複数の管１０ａ、１０ｂ、１０ｃ、１０ｄを連結する複数の連結部材２０と、複数の連結部材２０によって囲まれた領域に設けられるパネル３０と、を備え、複数の管１０ａ、１０ｂ、１０ｃ、１０ｄの少なくとも１つ（本実施形態では管１０ｂ、１０ｄ）に切り欠き溝Ｘが形成されているとともに、パネル３０が切り欠き溝Ｘに嵌め込まれる間仕切装置であって、切り欠き溝Ｘが形成された管（本実施形態では管１０ｂ、１０ｄ）の一方の端部に外挿嵌合される補強部材４０を備え、切り欠き溝Ｘが管の一方の端部から長手方向に伸びるように形成されているとともに、複数の連結部材２０の一部（本実施形態では内挿嵌合部２２）が複数の管１０ａ、１０ｂ、１０ｃ、１０ｄの一方の端部及び他方の端部に内挿嵌合される間仕切装置である。
【００１１】
以下、順に説明する。
【００１２】
［複数の管１０ａ、１０ｂ、１０ｃ、１０ｄ］
複数の管１０ａ、１０ｂ、１０ｃ、１０ｄの少なくとも１つ（本実施形態では管１０ｂ、１０ｄ）には、管の一方の端部から長手方向に伸びる切り欠き溝Ｘが形成されている。切り欠き溝Ｘの幅は、パネル３０の厚みとほぼ同じであることが好ましい。このようにすれば、切り欠き溝Ｘが形成された管（本実施形態では管１０ｂ、１０ｄ）によってパネル３０を強固に保持できるようになり、間仕切装置１の安定性が向上する。
【００１３】
管１０ａ、１０ｂ、１０ｃ、１０ｄには、紙管や樹脂管や金属管などを用いることができる。また、管１０ａ、１０ｂ、１０ｃ、１０ｄは、連結部材２０の一部を内挿嵌合できるように中空形状（例：中空円筒状や中空角筒状）とされる。
【００１４】
［複数の連結部材２０］
複数の連結部材２０は、複数の管１０ａ、１０ｂ、１０ｃ、１０ｄを連結する部材である。複数の連結部材２０の一部（本実施形態では内挿嵌合部２２）は、複数の管１０ａ、１０ｂ、１０ｃ、１０ｄの一方の端部及び他方の端部に内挿嵌合される。
【００１５】
連結部材２０は、四角形状や球状などに形成された本体部２１と、管の一方の端部や他方の端部に内挿嵌合される内挿嵌合部２２と、を備えるものとして構成することができる。この場合は、本体部２１に凸部Ｙを設けて、内挿嵌合部２２を本体部２１の凸部Ｙに螺合などで取り付ける構成とすることができる。
【００１６】
連結部材２０の一部（例：内挿嵌合部２２）の形状は、特に限定されない。ただし、連結部材２０の一部（例：内挿嵌合部２２）は、管１０ａ、１０ｂ、１０ｃ、１０ｄの形状に合わせた形状（例：中空円筒状、中空角筒状）を有し、その外面が管１０ａ、１０ｂ、１０ｃ、１０ｄの一方の端部の内面に当接することが好ましい。このようにすれば、切り欠き溝Ｘの部分に管の外側から内側に向かう力が加えられることによる管（本実施形態では管１０ｂ、１０ｄ）の一方の端部の変形が抑制されるため、切り欠き溝Ｘが形成された管（本実施形態では管１０ｂ、１０ｄ）の強度がより補強され、間仕切装置１の安定性がより向上する。
【００１７】
連結部材２０には、樹脂製の部材や、金属製の部材や、紙製の部材などを用いることができる。
【００１８】
［パネル３０］
パネル３０は、複数の連結部材２０によって囲まれた領域に設けられる。また、パネル３０は、複数の管の少なくとも１つ（本実施形態では管１０ｂ、１０ｄ）に形成された切り欠き溝Ｘに嵌め込まれる。
【００１９】
パネル３０には、木製の板や樹脂性の板などを用いることができる。また、パネル３０の形状は、四角形状や円形状などとすることができる。なお、パネル３０は、凸部Ｚを有していてもよい。この場合は、パネル３０の凸部Ｚが切り欠き溝Ｘに嵌め込まれるものとすることができる。また、この場合は、パネル３０の凸部Ｚで補強部材４０を支持してもよい。
【００２０】
［補強部材４０］
補強部材４０は、切り欠き溝Ｘが形成された管（本実施形態では管１０ｂ、１０ｄ）の一方の端部に外挿嵌合される。これにより、切り欠き溝Ｘが形成された管（本実施形態では管１０ｂ、１０ｄ）の強度が補強され、間仕切装置１の安定性が向上する。
【００２１】
補強部材４０の形状は特に限定されない。ただし、補強部材４０は、外挿嵌合される管（本実施形態では管１０ｂ、１０ｄ）の形状に合わせた形状（例：中空円筒状、中空角筒状）を有し、その内面が外挿嵌合される管（本実施形態では管１０ｂ、１０ｄ）の一方の端部の外面に当接することが好ましい。このようにすれば、切り欠き溝Ｘの部分に管の内側から外側に向かう力が加えられることによる管（本実施形態では管１０ｂ、１０ｄ）の一方の端部の変形が抑制されるため、切り欠き溝Ｘが形成された管（本実施形態では管１０ｂ、１０ｄ）の強度がより補強され、間仕切装置１の安定性がより向上する。
【００２２】
なお、連結部材２０の一部（例：内挿嵌合部２２）と補強部材４０とが切り欠き溝Ｘが形成された管（本実施形態では管１０ｂ、１０ｄ）の形状に合わせた形状（例：中空円筒状、中空角筒状）を有し、連結部材２０の一部（例：内挿嵌合部２２）の外面と補強部材４０の内面とが切り欠き溝Ｘが形成された管（本実施形態では管１０ｂ、１０ｄ）の一方の端部の内面と外面とにそれぞれ当接する場合は、切り欠き溝Ｘの部分に管の外側から内側に向かう力が加えられることによる管（本実施形態では管１０ｂ、１０ｄ）の一方の端部の変形が抑制されるとともに、切り欠き溝Ｘの部分に管の内側から外側に向かう力が加えられることによる管（本実施形態では管１０ｂ、１０ｄ）の一方の端部の変形も抑制されるため、切り欠き溝Ｘが形成された管（本実施形態では管１０ｂ、１０ｄ）の強度がさらに補強され、間仕切装置１の安定性がさらに向上する。
【００２３】
補強部材４０には、紙管や樹脂管や金属管などを用いることができる。
【００２４】
［支持部材５０］
連結部材２０には、支持部材５０を取り付けることができる。このようにすれば、間仕切装置１の安定性が向上する。支持部材５０は、例えば、連結部材２０の本体部２１に設けられた凸部Ｙに螺合などで取り付ける形状とすることができる。
【００２５】
以上説明した本発明の実施形態に係る間仕切装置１によれば、切り欠き溝Ｘにより低下した管（本実施形態では管１０ｂ、１０ｄ）の強度が補強部材４０により補強される。したがって、本発明の実施形態に係る間仕切装置１は、切り欠き溝が形成された管を用いてはいるものの、安定性に優れている。
【００２６】
以上、本発明の実施形態について説明したが、これらの説明は、本発明の一例に関するものであり、本発明は、これらの説明によって何ら限定されるものではない。
【符号の説明】
【００２７】
１        間仕切装置
１０ａ    管
１０ｂ    管
１０ｃ    管
１０ｄ    管
２０      連結部材
２１      本体部
２２      内挿嵌合部
３０      パネル
４０      補強部材
５０      支持部材
Ｘ        切り欠き溝
Ｙ        凸部
Ｚ        凸部              
【図１】
2014227764.tif 000003
【図２】
2014227764.tif 000004
【図３】
2014227764.tif 000005